(57)【要約】【課題】シリンダ錠をアンロック作動させる必要なく蓋体を閉じることができ、蓋体の閉作業を容易に行うことができる交信装置用筐体を提供する。【解決手段】ケース本体２３と、ケース本体２３に開閉可能に構成された蓋体２４と、ロック作動及びアンロック作動するシリンダ錠５０と、シリンダ錠５０がアンロック作動することに連動して解除位置Ｐ２に移動する鉤板５５と、解除位置Ｐ２にある鉤板５５とは係合せず掛止位置Ｐ１にある鉤板５５と係合することによりケース本体２３に閉じた蓋体２４を開放不能にする留め具５２と、鉤板５５を掛止位置Ｐ１に位置するように付勢する引きバネと、ケース本体２３に蓋体２４を閉じる場合に引きバネの付勢力に抗して鉤板５５を掛止位置Ｐ１から解除位置Ｐ２へ移動させて、その後、引きバネの付勢力により鉤板５５が解除位置Ｐ２から掛止位置Ｐ１へ復帰することで留め具５２を鉤板５５に係合させる退避機構７５とを備えた。【選択図】      図５
2005351005.tif 000002
【特許請求の範囲】
【請求項１】
その外面にＩＣタグがかざされることにより、その内部に設けられた交信装置と前記ＩＣタグとが交信を行う交信装置用筐体において、
開口部を有するケース本体と、
前記開口部を遮蔽可能にかつ前記ケース本体に対して開閉可能に構成され、前記ケース本体と共同して前記交信装置を収容する蓋体と、
前記ケース本体に設けられ、ロック作動及びアンロック作動するシリンダ錠と、
前記ケース本体に設けられ、解除位置と掛止位置との間を移動可能に構成され、前記シリンダ錠がアンロック作動することに連動して解除位置に移動する鉤部材と、
前記蓋体に設けられ、解除位置にある前記鉤部材とは係合せず、掛止位置にある前記鉤部材と係合することにより前記ケース本体に対して閉じた前記蓋体を開放不能にする係合部材と、
前記鉤部材を掛止位置に位置するように付勢する付勢手段と、
前記ケース本体に対して前記蓋体を閉じる場合に、前記付勢手段の付勢力に抗して前記鉤部材を掛止位置から解除位置へ移動させて、その後、前記付勢手段の付勢力により前記鉤部材が解除位置から掛止位置へ復帰することで前記係合部材を前記鉤部材に係合させる退避機構とを備えたことを特徴とする交信装置用筐体。
【請求項２】
前記ケース本体は、ケース側壁部と、そのケース側壁部と繋がった底部とを備え、
前記蓋体は、蓋側壁部と、その蓋側壁部と繋がった天部とを備え、
前記ケース側壁部は、前記蓋側壁部に覆われる被覆部と、前記交信装置用筐体の外側部を構成する露出部とを備え、
前記被覆部は、前記蓋側壁部側の側面に形成されたシール部材配置部を備え、
前記シール部材配置部には、前記蓋側壁部と前記被覆部とをシールするシール部材を備えたことを特徴とする請求項１に記載の交信装置用筐体。
【請求項３】
前記蓋体を前記ケース本体に対して回転可能とする回転支持機構を備え、前記回転支持機構は、前記蓋体と前記ケース本体とがなす内部に配置されていることを特徴とする請求項１又は請求項２に記載の交信装置用筐体。
【発明の詳細な説明】
【技術分野】
【０００１】
本発明は、ＩＣタグと交信を行う交信装置を収容する交信装置用筐体に関するものである。
【背景技術】
【０００２】
従来、ＩＣタグと交信を行う送信装置を収容した交信装置用筐体が知られている（特許文献１参照）。また、上記交信装置用筐体以外に、以下に示す交信装置用筐体が知られている。この交信装置用筐体は、ケース本体と、そのケース本体に対して開閉可能な蓋体とを備えている。このケース本体には、シリンダ錠が取り付けられている。ケース本体から蓋体を開放する場合には、シリンダ錠のキー挿入口に、対応するメカニカルキーを挿入し、そのメカニカルキーを回転させる。このメカニカルキーの回転によって、キーシリンダがロック状態からアンロック状態となり、ケース本体と蓋体とを係合している係合機構が係合状態から非係合状態となり、蓋体を開放することが可能となる。
【特許文献１】意匠登録第９８６３７５号公報
【発明の開示】
【発明が解決しようとする課題】
【０００３】
ところが、この交信装置用筐体は、開放した蓋体をケース本体に対して閉じる際には、係合機構を非係合状態としたまま、即ち、キー挿入口に挿入したメカニカルキーを回転させたままの状態で蓋体を閉じるように構成されている。詳述すると、交信装置用筐体は、蓋体を閉めるときには、キー挿入口に挿入したメカニカルキーを回転させてキーシリンダをアンロック状態にし、その状態で蓋体を閉め、その後、メカニカルキーを逆回転させてキーシリンダをロック状態にし、キー挿入口からメカニカルキーを取り出さなければならず、その作業が煩雑であった。
【０００４】
本発明は、前述した事情に鑑みてなされたものであって、その目的はシリンダ錠をアンロック作動させる必要なく蓋体を閉じることができ、蓋体の閉作業を容易に行うことができる交信装置用筐体を提供することにある。
【課題を解決するための手段】
【０００５】
上記目的を達成するために、請求項１に記載の発明は、その外面にＩＣタグがかざされることにより、その内部に設けられた交信装置と前記ＩＣタグとが交信を行う交信装置用筐体において、開口部を有するケース本体と、前記開口部を遮蔽可能にかつ前記ケース本体に対して開閉可能に構成され、前記ケース本体と共同して前記交信装置を収容する蓋体と、前記ケース本体に設けられ、ロック作動及びアンロック作動するシリンダ錠と、前記ケース本体に設けられ、解除位置と掛止位置との間を移動可能に構成され、前記シリンダ錠がアンロック作動することに連動して解除位置に移動する鉤部材と、前記蓋体に設けられ、解除位置にある前記鉤部材とは係合せず、掛止位置にある前記鉤部材と係合することにより前記ケース本体に対して閉じた前記蓋体を開放不能にする係合部材と、前記鉤部材を掛止位置に位置するように付勢する付勢手段と、前記ケース本体に対して前記蓋体を閉じる場合に、前記付勢手段の付勢力に抗して前記鉤部材を掛止位置から解除位置へ移動させて、その後、前記付勢手段の付勢力により前記鉤部材が解除位置から掛止位置へ復帰することで前記係合部材を前記鉤部材に係合させる退避機構とを備えた。
【０００６】
請求項２に記載の発明は、請求項１に記載の発明において、前記ケース本体は、ケース側壁部と、そのケース側壁部と繋がった底部とを備え、前記蓋体は、蓋側壁部と、その蓋側壁部と繋がった天部とを備え、前記ケース側壁部は、前記蓋側壁部に覆われる被覆部と、前記交信装置用筐体の外側部を構成する露出部とを備え、前記被覆部は、前記蓋側壁部側の側面に形成されたシール部材配置部を備え、前記シール部材配置部には、前記蓋側壁部と前記被覆部とをシールするシール部材を備えた。
【０００７】
請求項３に記載の発明は、請求項１又は請求項２に記載の発明において、前記蓋体を前記ケース本体に対して回転可能とする回転支持機構を備え、前記回転支持機構は、前記蓋体と前記ケース本体とがなす内部に配置されている。
【０００８】
（作用）
従って、請求項１に記載の発明によれば以下に示す作用を得る。ケース本体に対して蓋体を閉じており、かつシリンダ錠がロック状態の位置にある場合には、蓋体に設けられた係合部材と、ケース本体に設けられた鉤部材とが係合しているため、蓋体は開放できない。ケース本体に対して閉じている蓋体を開放する場合には、シリンダ錠をアンロック作動させる。すると、鉤部材が付勢手段の付勢力に抗して掛止位置から解除位置へ移動することにより、その鉤部材と係合部材との係合が解除され、蓋体は開放可能となる。一方、この交信装置用筐体は、ケース本体に対して開放されている蓋体を閉じる場合に、シリンダ錠がロック状態の位置にある場合でも閉じることが可能である。この理由は、ケース本体に対して蓋体を閉じる場合に、退避機構により、付勢手段の付勢力に抗して鉤部材をいったん掛止位置から解除位置へ移動させて、その後、付勢手段の付勢力により鉤部材が解除位置から掛止位置へ復帰することで係合部材を鉤部材に係合させるからである。
【０００９】
請求項２に記載の発明によれば、請求項１に記載の発明の作用に加えて以下に示す作用を得る。シール部材が交信装置用筐体の外側へ露出することを抑えつつ、そのシール部材によりケース側壁部と蓋側壁部とをシールすることができる。このため、交信装置用筐体に異物（雨や埃など）が付着しても、交信装置用筐体内へその異物が入り込むことを抑制できる。
【００１０】
請求項３に記載の発明によれば、請求項１又は請求項２に記載の発明の作用に加えて以下に示す作用を得る。回転支持機構を、蓋体とケース本体とがなす内部に配置したため、交信装置用筐体の外観からはその回転支持機構が見えず、交信装置用筐体の見栄えがよくなる。
【発明の効果】
【００１１】
本発明によれば、シリンダ錠をアンロック作動させる必要なく蓋体を閉じることができ、蓋体の閉作業を容易に行うことができる。
【発明を実施するための最良の形態】
【００１２】
以下、本発明を電車の改札機の筐体に具体化した一実施形態を図１〜図１１に従って説明する。
図１に示すように、改札機１１は、コンクリートの床から突出するように設置されたポール１２の先端に固定されている。ユーザが改札機１１に設けられたかざし部１３に非接触ＩＣカード１４をかざすことにより、改札機１１は、非接触ＩＣカード１４と交信（無線による交信）を行う。この非接触ＩＣカード１４の内部には、ＩＣタグ１５が内蔵されており、このＩＣタグ１５が改札機１１と交信を行う。改札機１１は、この交信により乗車代金の精算等を行い、その交信結果（精算結果）を非接触ＩＣカード１４に記憶させるようになっている。ユーザは、このような改札機１１と非接触ＩＣカード１４との交信を行うだけで電車の乗車手続及び降車手続を行うことができ、切符を購入する手間が省け、電車の利用を円滑に行うことができる。
【００１３】
次に、改札機１１の構成を詳述する。
図３に示すように、改札機１１は、交信装置用筐体としての筐体２０、交信装置２１、及び表示装置２２を備えている。筐体２０は、開口部Ｋを有するケース本体２３と、開口部Ｋを遮蔽する蓋体２４とを備えている。
【００１４】
ケース本体２３は、ケース側壁部２５、ケース側壁部２５と繋がった底部２６を備えている。ケース側壁部２５は、４つの壁部２７，２８，２９，３０から構成されている。底部２６及び壁部２７〜３０は、一体に形成されている。図２において、壁部２７は上側、壁部２８は右側、壁部２９は下側、壁部３０は左側に配置されている。壁部２７は第１壁部に相当し、壁部２９は第２壁部に相当する。
【００１５】
図３に示すように、蓋体２４は、蓋側壁部３５、蓋側壁部３５と繋がった天部３６を備えている。蓋側壁部３５は、４つの壁部３７，３８，３９，４０から構成されている。天部３６及び壁部３７〜４０は、一体に形成されている。図２において、壁部３７は上側、壁部３８は右側、壁部３９は下側、壁部４０は左側に配置されている。
【００１６】
ケース本体２３及び蓋体２４との共同により収容空間Ｓが形成されている。この収容空間Ｓには、交信装置２１及び表示装置２２が配置されている。蓋体２４の天部３６は、交信装置２１と対向する部分が、前記かざし部１３とされている。即ち、交信装置２１は、蓋体２４の天部３６を介して非接触ＩＣカード１４と交信を行うように構成されている。表示装置２２は、蓋体２４の天部３６側の側面に表示部２２ａが設けられている。蓋体２４の天部３６は、表示装置２２の表示部２２ａと対向する部分が、透明となった透視部３６ａとされている。このため、ユーザは、蓋体２４外から透視部３６ａを介して表示部２２ａが視認可能となっている。
【００１７】
筐体２０の上側（壁部２７側）には、回転支持機構４５が設けられている。回転支持機構４５は、収容空間Ｓ内に配置されている。回転支持機構４５は、ケース本体２３に対して蓋体２４を回転可能に支持する機構である。回転支持機構４５は、壁部２８，３０間に固定された軸体４６（図２も併せて参考）と、蓋体２４の壁部３７に固定された軸受体４７とを備えている。図２に示すように、この回転支持機構４５では、軸受体４７は、２つ備えられている。両軸受体４７は、軸体４６の延びる方向において互いに離間するように配置されている。
【００１８】
図３に示すように、軸受体４７は、その基端部が壁部３７に固定され、その先端部にはチャック部４７ａが形成されている。チャック部４７ａは、図３から見て（壁部２８に対して直交する方向から見て）断面Ｃ形状をなすように形成されている。ケース本体２３に対して蓋体２４を閉じている場合（図３に示す場合）には、チャック部４７ａは、上方へ向けて開口するように形成されている。ケース本体２３に対して蓋体２４を開放している場合（図４に示す場合）には、チャック部４７ａを軸体４６から引き抜くことにより、ケース本体２３と蓋体２４とを分離することができるように構成されている。
【００１９】
図３に示すように、この筐体２０には、シリンダ錠５０を含む施解錠機構５１を備えている。施解錠機構５１は、シリンダ錠５０がロック状態の位置にある場合には、ケース本体２３に対して閉じている蓋体２４を開放不能とするように構成されている（以下、開放不能機構という）。施解錠機構５１は、シリンダ錠５０がアンロック状態の位置にある場合には、ケース本体２３に対して閉じている蓋体２４を開放可能とするように構成されている（以下、開放可能機構という）。施解錠機構５１は、シリンダ錠５０がロック状態の位置にあってもアンロック状態の位置にあっても、ケース本体２３に対して開放している蓋体２４を閉じることが可能となるように構成されている（以下、蓋閉じ機構という）。
【００２０】
以下、施解錠機構５１の構成を詳述する。
＜開放不能機構と開放可能機構とについて＞
図３及び図６に示すように、施解錠機構５１は、係合部材としての留め具５２、一対の支持板５３，５４、鉤部材としての鉤板５５、一対のガイド軸５６，５７、付勢手段としての引きバネ５８（図７参照）、前記シリンダ錠５０、スリーブ５９、第１回転体６０、第２回転体６１、及びねじりバネ６２を備えている。なお、説明の便宜上、図３では、引きバネ５８、第１回転体６０、第２回転体６１、及びねじりバネ６２を示していないが、それらは、図３で示す二点鎖線の枠Ｇ内に配置されている。留め具５２、支持板５３，５４、鉤板５５、ガイド軸５６，５７、引きバネ５８、スリーブ５９、第１回転体６０、第２回転体６１、及びねじりバネ６２は、収容空間Ｓに配置されており、シリンダ錠５０はその大部分が収容空間Ｓに配置されている。
【００２１】
図３及び図５に示すように、留め具５２は支台６３に固定され、支台６３は蓋体２４の天部３６に固定されている。留め具５２には、一対の係合突部５２ａ，５２ｂを備えている。係合突部５２ａ，５２ｂは、円柱状に形成されている。支持板５３，５４は、図３における上下方向（壁部２７と壁部２９とが対向する方向であり、以下、上下方向Ｈという）において互いに向かい合うようにケース本体２３の底部２６に固定されている。両支持板５３，５４間には、鉤板５５が配置されている。両支持板５３，５４には、一対のガイド軸５６，５７が支持されている。
【００２２】
図５に示すように、鉤板５５には、左右方向（壁部２８と壁部３０とが対向する方向であり、以下、左右方向Ｗという）へ向けて長く延びる長孔６５，６６が形成されている。その長孔６５，６６にはガイド軸５６，５７がそれぞれ挿通されている。鉤板５５は、両支持板５３，５４に挟まれ、かつ長孔６５，６６にガイド軸５６，５７が挿通されていることにより、左右方向Ｗへ往復移動可能とされている。鉤板５５には、前記係合突部５２ａ，５２ｂに対してそれぞれ係合可能な一対の鉤部６７，６８を備えている。
【００２３】
鉤板５５は、ケース本体２３に対して蓋体２４が閉じられている場合において、該鉤板５５が最も壁部３０に近接した位置（以下、掛止位置Ｐ１という）にある際には、係合突部５２ａ，５２ｂと鉤部６７，６８とがそれぞれ係合するように構成されている。蓋体２４は、この係合突部５２ａ，５２ｂと鉤部６７，６８とがそれぞれ係合している場合には、ケース本体２３に対して開放不能となっている。
【００２４】
一方、鉤板５５は、掛止位置Ｐ１から壁部２８へ向かう方向（以下、解除方向Ｗ１という）へ移動可能に構成されている。鉤板５５は、掛止位置Ｐ１から解除方向Ｗ１へ移動することにより、係合突部５２ａ，５２ｂと鉤部６７，６８との係合がそれぞれ解除される位置（例えば図１０に示す鉤板５５の位置であり、以下、解除位置Ｐ２という）まで移動可能に構成されている。ケース本体２３に対して閉じられている蓋体２４は、鉤板５５が解除位置Ｐ２にある場合には、ケース本体２３に対して開放可能となっている。
【００２５】
図７に示すように、支持板５４には、バネ取付部７０が形成されており、鉤板５５にもバネ取付部７１が形成されている。バネ取付部７０には、引きバネ５８の一端が固定され、バネ取付部７１には、引きバネ５８のもう一端が固定されている。引きバネ５８は、鉤板５５が掛止位置Ｐ１にある場合には伸びないように構成されている。引きバネ５８は、鉤板５５が掛止位置Ｐ１から解除方向Ｗ１へ移動すると、自身が伸びることにより、鉤板５５を壁部２８から壁部３０へ向かう方向（以下、係合方向Ｗ２という）へ付勢する。
【００２６】
図６に示すように、シリンダ錠５０は、外筒５０ａ，内筒５０ｂを備えている。図８に示すように、内筒５０ｂは、その一端にメカニカルキーＭを挿入するキー挿入口５０ｃを備えており、そのキー挿入口５０ｃは、壁部２９の外面に露出するように配置されている。キー挿入口５０ｃに対応するメカニカルキーＭが挿入されると、内筒５０ｂは外筒５０ａに対して回転可能となる。本実施形態では、図８における時計回り方向がアンロック作動方向Ｒ１であり、図８における反時計回り方向がロック作動方向Ｒ２である。図３及び図６に示すように、シリンダ錠５０の外筒５０ａには、スリーブ５９が固定されている。また、外筒５０ａとスリーブ５９とが壁部２９を挟みつけるように配置されていることにより、外筒５０ａ及びスリーブ５９は、その壁部２９に対して固定されている。
【００２７】
図６に示すように、スリーブ５９の外周には、ねじりバネ６２が配置されている。内筒５０ｂは、キー挿入口５０ｃが形成された端部とは反対側の端部が連結端部５０ｄとされている。この連結端部５０ｄには、第１回転体６０が内筒５０ｂと一体回転するように固定されている。また連結端部５０ｄには、座金７２ａを装着したネジ７２が螺着されている。ネジ７２には、第２回転体６１が回転可能に支持されている。第１回転体６０には、第２回転体６１に当接可能な突部６０ａが形成されており、第２回転体６１には、鉤板５５に形成されたＴ字状の係合孔７３（図５参照）に挿通された突部６１ａを備えている。ちなみに、図５に示すように、支持板５４（５３）は、コ字状に形成されており、スリーブ５９、第１回転体６０、第２回転体６１、ねじりバネ６２、及びネジ７２は、コ字状の支持板５４（５３）を貫通するように配置されている。
【００２８】
図５に示すように、ねじりバネ６２は、その一端が底部２６に常に当接しており、もう一端が第２回転体６１に形成された引掛部６１ｂに引っ掛けられている。ねじりバネ６２は、第２回転体６１をアンロック作動方向Ｒ１へ向けて付勢しており、この結果、第２回転体６１の突部６１ａが、鉤板５５の係合孔７３周縁に常に当接されている。ちなみに、ねじりバネ６２は、引きバネ５８（図７参照）よりも付勢力が弱く設定されており、ねじりバネ６２の付勢力により引きバネ５８が延びることがない。よって、シリンダ錠５０がロック状態の位置にある場合には、鉤板５５は掛止位置Ｐ１にある。
【００２９】
ユーザが、シリンダ錠５０のキー挿入口５０ｃに、対応するメカニカルキーＭを差し込み、そのメカニカルキーＭと共に内筒５０ｂ及び第１回転体６０をアンロック作動方向Ｒ１へ回転させると、第１回転体６０が所定回転したところ（図９参照）で、第１回転体６０の突部６０ａが第２回転体６１をアンロック作動方向Ｒ１へ向けて押圧し始める。第２回転体６１がアンロック作動方向Ｒ１へ向けて回転すると、鉤板５５は解除方向Ｗ１へ移動する。この結果、図１０に示すように、鉤板５５は解除位置Ｐ２まで移動する。このため、ケース本体２３に対して蓋体２４が閉じられている場合には、係合突部５２ａ，５２ｂと鉤部６７，６８との係合が解除され、蓋体２４が開放可能となる。
【００３０】
一方、ユーザが、キー挿入口５０ｃに挿入したメカニカルキーＭをアンロック作動方向Ｒ１へ最大限回している状態で該メカニカルキーＭから手を離すと、鉤板５５は、引きバネ５８の付勢力によって解除位置Ｐ２から掛止位置Ｐ１へ復帰する。
【００３１】
＜蓋閉じ機構について＞
ところで、図５に示すように、鉤部６７，６８には、蓋体２４の天部３６と対向する側面に、斜状の摺接面６７ａ，６８ａが形成されている。本実施形態では、この摺接面６７ａ，６８ａを有する鉤板５５と、係合突部５２ａ，５２ｂを有する留め具５２とにより退避機構７５が構成されている。このため、図８に示すように、ケース本体２３に対して蓋体２４を閉じて行くと、係合突部５２ａと摺接面６７ａとが、係合突部５２ｂと摺接面６８ａとがそれぞれ当接する。さらにケース本体２３に対して蓋体２４を閉じて行くと、係合突部５２ａが摺接面６７ａに、係合突部５２ｂが摺接面６８ａにそれぞれ圧接することにより、鉤板５５は、引きバネ５８（図７参照）の付勢力に抗して掛止位置Ｐ１から解除位置Ｐ２へ移動する。さらにケース本体２３に対して蓋体２４を閉じて行くと、引きバネ５８の付勢力により鉤板５５が解除位置Ｐ２から掛止位置Ｐ１へ復帰することで係合突部５２ａ，５２ｂは鉤部６７，６８にそれぞれ係合する。よって、シリンダ錠５０がロック状態の位置にあってもアンロック状態の位置にあっても、ケース本体２３に対して開放している蓋体２４を閉じることが可能となる。
【００３２】
次に、ケース本体２３と蓋体２４とのシール構成について説明する。
図３及び図５に示すように、ケース本体２３の壁部２７，２８，２９，３０は、被覆部２７ａ，２８ａ，２９ａ，３０ａと、露出部２７ｂ，２８ｂ，２９ｂ，３０ｂとをそれぞれ備えている。被覆部２７ａ，２８ａ，２９ａ，３０ａは、蓋体２４の壁部３７，３８，３９，４０にそれぞれ覆われる。露出部２７ｂ，２８ｂ，２９ｂ，３０ｂは、筐体２０の外側部を構成する。被覆部２７ａ，２８ａ，２９ａ，３０ａは、断面略コ字状にそれぞれ形成されている。被覆部２７ａ，２８ａ，２９ａ，３０ａは、それぞれ露出部２７ｂ，２８ｂ，２９ｂ，３０ｂの先端に一体に形成されている。
【００３３】
被覆部２７ａ，２８ａ，２９ａ，３０ａは、断面略コ字状に形成されていることにより、シール部材配置部としての凹所２７ｃ，２８ｃ，２９ｃ，３０ｃがそれぞれ形成されている。即ち、凹所２７ｃ，２８ｃ，２９ｃ，３０ｃは、被覆部２７ａ，２８ａ，２９ａ，３０ａにおける壁部３７，３８，３９，４０側の側面に形成されている。この凹所２７ｃ，２８ｃ，２９ｃ，３０ｃには、シール部材としてのシール体７６が配置されている。シール体７６は、シリコン性のスポンジ（シリコンゴム、合成ゴムなどでもよい）から構成されている。シール体７６は、前記開口部Ｋの全周を囲うように配置されている。このシール体７６は、被覆部２７ａと壁部３７とを、被覆部２８ａと壁部３８とを、被覆部２９ａと壁部３９とを、被覆部３０ａと壁部４０とをシールする。このシール体７６により、筐体２０の外部から内部へ異物（雨や埃など）が侵入することが抑制される。壁部２７に対応する位置に配置されたシール体７６は、壁部２９に対応する位置に配置されたシール体７６よりもシール性が高くなるように構成されている。
【００３４】
従って、本実施形態によれば、以下のような作用・効果を得ることができる。
（１）図５に示すように、ケース本体２３に対して蓋体２４を閉じており、かつシリンダ錠５０がロック状態の位置にある場合には、蓋体２４に形成された留め具５２の係合突部５２ａ，５２ｂと、ケース本体２３に取り付けられた鉤板５５の鉤部６７，６８とが係合しているため、蓋体２４は開放できない。ケース本体２３に対して閉じている蓋体２４を開放する場合には、シリンダ錠５０をアンロック作動させる。すると、図１０に示すように、鉤板５５が引きバネ５８（図７参照）の付勢力に抗して掛止位置Ｐ１から解除位置Ｐ２へ移動することにより、その鉤板５５の鉤部６７，６８と留め具５２の係合突部５２ａ，５２ｂとの係合が解除され、蓋体２４は開放可能となる。
【００３５】
一方、この筐体２０は、ケース本体２３に対して開放されている蓋体２４を閉じる場合に、シリンダ錠５０がロック状態の位置にある場合でも閉じることが可能である。この理由は、ケース本体２３に対して蓋体２４を閉じる場合に、退避機構７５（摺接面６７ａ，６８ａ及び係合突部５２ａ，５２ｂ）により、引きバネ５８の付勢力に抗して鉤板５５を、いったん掛止位置Ｐ１から解除位置Ｐ２へ移動させる。その後、引きバネ５８の付勢力により鉤板５５が解除位置Ｐ２から掛止位置Ｐ１へ復帰することで、係合突部５２ａ，５２ｂを鉤部６７，６８に係合させるからである。
【００３６】
よって、筐体２０は、シリンダ錠５０をアンロック作動させる必要なく蓋体２４を閉じることができ、蓋体２４の閉作業を容易に行うことができる。
（２）被覆部２７ａ，２８ａ，２９ａ，３０ａの凹所２７ｃ，２８ｃ，２９ｃ，３０ｃにシール体７６を配置することにより、ケース側壁部２５と蓋側壁部３５とをシールした。従って、シール体７６が筐体２０の外側へ露出することを抑えつつ、そのシール体７６によりケース側壁部２５と蓋側壁部３５とをシールすることができる。このため、筐体２０に異物（雨や埃など）が付着しても、筐体２０内へその異物が入り込むことを抑制できる。
【００３７】
ところで、本実施形態のシール構成以外に、図１１（ａ），（ｂ）に示すシール構成が考えられる。しかしながら、図１１（ａ）の筐体１２０では、ケース本体１２３と蓋体１２４とをシール体１７６にてシールすることは可能なものの、本実施形態の筐体２０と比して、シール体１７６の外部への露出が多くなってしまい、見栄えがよくない。また、図１１（ｂ）の筐体２２０では、ケース本体２２３と蓋体２２４とをシール体２７６にてシールすることは可能なものの、本実施形態の筐体２０と比して、ケース本体２２３のケース側壁部２２５の形状が複雑となり、さらには蓋体２２４の蓋側壁部２３５の形状が複雑となる。筐体２０のケース本体２３は、板金加工により形成できる。しかしながら、筐体２２０のケース本体２２３は、複雑な形状であるため、削りだし加工や成形型を用いなければ形成できず、筐体２０に比して製作コストが高くなってしまう。よって、筐体２０は、図１１（ａ）の筐体１２０よりも見栄えをよくすることができ、図１１（ｂ）の筐体２２０よりも低コストで製作することができる。
【００３８】
（３）回転支持機構４５を、蓋体２４とケース本体２３とがなす内部に配置したため、筐体２０の外観からはその回転支持機構４５が見えず、筐体２０の見栄えがよくなる。
（４）筐体２０をポール１２に設置した場合に、ケース本体２３の壁部２７を、同ケース本体２３の壁部２９よりも地面から遠くなるように構成した。回転支持機構４５は、壁部２９よりも壁部２７に近い位置に設けた。回転支持機構４５の回転軸心Ｏ（図２参照）を、壁部２７の延びる方向に沿って設けた。よって、蓋体２４は、その上側が回転中心となり、その下側が円弧軌跡を描きながら開閉される。このため、筐体２０内への異物（雨）の侵入を抑制しつつ、ケース本体２３に対して蓋体２４を開閉できる。
【００３９】
（５）シリンダ錠５０のキー挿入口５０ｃは、壁部２９の外面に配置した。即ち、キー挿入口５０ｃは、筐体２０の下面に配置した。よって、シリンダ錠５０のキー挿入口５０ｃを、筐体２０の側面や上面に配置した場合に比して、キー挿入口５０ｃに異物（雨）が入ることを抑制できる。
【００４０】
（６）図３に示すように、壁部２７に対応する位置に配置したシール体７６（以下、第１シール部材としての上側シール体７６ａという）は、壁部２９に対応する位置に配置したシール体７６（以下、第２シール部材としての下側シール体７６ｂという）よりもシール性が高くなるように構成した。上側シール体７６ａは、下側シール体７６ｂよりも異物が付着しやすい（雨が当たりやすい）。そのため上側シール体７６ａが下側シール体７６ｂよりもシール性が高いと、上側シール体７６ａが下側シール体７６ｂよりもシール性が低い場合に比して、蓋体２４とケース本体２３とがなす内部への異物の侵入を抑制できる。
【００４１】
また、下側シール体７６ｂが上側シール体７６ａよりもシール性が低いと、下側シール体７６ｂが上側シール体７６ａよりもシール性が高い場合に比して、蓋体２４をケース本体２３に対して閉じ易い。
【００４２】
（７）蓋体２４には、収容空間Ｓに配置された表示装置２２の表示部２２ａを、蓋体２４外から透視するための透視部３６ａを形成した。よって、ユーザは、蓋体２４の透視部３６ａ越しに表示装置２２の表示部２２ａを視認することができる。表示部２２ａには、引き落とし残高、利用区間、定期の利用期限などが表示される。
【００４３】
（８）鉤板５５には、左右方向Ｗにおいて互いに離間した一対の鉤部６７，６８を形成した。また、留め具５２には、左右方向Ｗにおいて互いに離間した一対の係合突部５２ａ，５２ｂを形成した。一対の鉤部６７，６８に対して一対の係合突部５２ａ，５２ｂをそれぞれ係合させるようにした。よって、一つの鉤部と一つの係合突部とを係合させてケース本体に対して蓋体を開放不能に閉じるように構成した筐体に比して、本実施形態の筐体２０は、確実にケース本体２３に対して蓋体２４を開放不能に閉じることができる。
【００４４】
なお、上記実施形態は、以下の態様に変更してもよい。
・図１２に示すように、筐体２０のケース本体２３に対してフード８０を固定してもよい。このフード８０は、筐体２０の上部を覆うように形成されている。また、フード８０は、蓋体２４の透視部３６ａに直射日光が当たることを抑制するように構成されている。よって、このフード８０により、蓋体２４とケース本体２３とがなす内部への異物（雨）の侵入を抑制できる。また、このフード８０により、表示装置２２の表示部２２ａ（図３参照）に対して直射日光が当たることを抑制できる。表示装置２２の表示部２２ａに直射日光が当たることを抑制することにより、ユーザは表示部２２ａを視認しやすくなり、さらには、表示部２２ａの寿命を向上させることができる。
【００４５】
・前記実施形態の引きバネ５８を、付勢手段としての板バネなどに変更してもよい。
・前記実施形態では、筐体２０は、表示装置２２を備え、蓋体２４には透視部３６ａを形成していた。これに限らず、表示装置２２及び透視部３６ａを省略してもよい。
【００４６】
・前記実施形態では、上側シール体７６ａは、下側シール体７６ｂよりもシール性が高くなるように構成していた。これに限らず、上側シール体７６ａと下側シール体７６ｂとのシール性を同じにしてもよいし、下側シール体７６ｂが上側シール体７６ａよりもシール性が高くなるように構成してもよい。要は、筐体２０内に異物が侵入しないように、ケース側壁部２５と蓋側壁部３５とをシール体７６によりシールしてあればよい。
【００４７】
・前記実施形態では、施解錠機構５１を筐体２０の下側に、回転支持機構４５を筐体２０の上側に設けていた。これに限らず、施解錠機構５１を筐体２０の上側に、回転支持機構４５を筐体２０の下側に設けてもよい。また、施解錠機構５１を筐体２０の右側（又は左側）に、回転支持機構４５を筐体２０の左側（又は右側）に設けてもよい。
【００４８】
・前記実施形態では、回転支持機構４５を収容空間Ｓ内に配置するように構成していたが、筐体２０の外側に露出するように構成してもよい。
・前記実施形態では、筐体２０は、シール体７６を備えていたが、そのシール体７６を省略してもよい。
【００４９】
なお、本明細書における「ＩＣタグ」とは、情報を記憶するためのＩＣチップと、そのＩＣチップに電気的に接続されると共に無線を拾うためのアンテナとを備えたものをいう。ちなみに、ＩＣタグは、ラベル型、カード型、コイン型、スティック型などの形状がある。ＩＣタグと交信装置との交信可能距離は、数ｍｍ程度のものから数ｍのものまである。また、本明細書における「非接触」とは、電気的接続がないことを意味し、物と物との接触（例えば、非接触ＩＣカード１４と蓋体２４との接触）を意味しない。さらに、本明細書における「かざす」とは、物と物とが若干離れている（例えば、非接触ＩＣカード１４とかざし部１３とが１０ｃｍ離れている）状態、及び物と物とが接触している（例えば、非接触ＩＣカード１４とかざし部１３とが接触している）状態を意味する。
【００５０】
次に、上記実施形態及びその態様の変更から把握できる技術的思想について以下に追記する。
（イ）前記ケース側壁部は互いに対向する第１壁部と第２壁部とを備え、前記ケース本体を設置した場合に前記第１壁部は前記第２壁部よりも地面から遠くなるように構成され、前記回転支持機構は前記第２壁部よりも前記第１壁部に近い位置に設けられかつその回転軸心が前記第１側壁部の延びる方向に沿って設けられていることを特徴とする請求項２又は請求項３に記載の交信装置用筐体。この作用効果は次のようになる。第１壁部が第２壁部よりも地面から遠くなるとは、即ち、第１壁部が上側、第２壁部が下側となるようにケース本体は設置される。蓋体は、その上側が回転中心となり、その下側が円弧軌跡を描きながら開閉される。このため、交信装置用筐体内への異物の侵入を抑制しつつ、ケース本体に対して蓋体を開閉できる。
【００５１】
（ロ）前記シリンダ錠には、該シリンダ錠に対応するメカニカルキーを挿入するキー挿入口を備え、前記キー挿入口が前記第２壁部の外面に配置されていることを特徴とする技術的思想（イ）に記載の交信装置用筐体。この作用効果は次のようになる。シリンダ錠のキー挿入口に異物が入ることが抑制される。
【００５２】
（ハ）前記第１壁部に対応する位置に設けられた前記シール部材は、前記第２壁部に対応する位置に設けられた前記シール部材よりもシール性が高くなるように構成されていることを特徴とする技術的思想（イ）又は技術的思想（ロ）に記載の交信装置用筐体。この作用効果は次のようになる。第１壁部に対応する位置に設けられたシール部材（以下、第１シール部材という）は、第２壁部に対応する位置に設けられたシール部材（以下、第２シール部材という）よりも異物が付着しやすい。そのため、第１シール部材が第２シール部材よりもシール性が高いと、第１シール部材が第２シール部材よりもシール性が低い場合に比して、蓋体と前記ケース本体とがなす内部への異物の侵入を抑制できる。また、第２シール部材が第１シール部材よりもシール性が低いと、第２シール部材が第１シール部材よりもシール性が高い場合に比して、蓋体をケース本体に対して閉じ易い。
【００５３】
（ニ）前記蓋体には、前記蓋体と前記ケース本体とがなす内部に配置された表示装置の表示部を前記蓋体外から透視するための透視部を備えたことを特徴とする請求項１乃至請求項３、技術的思想（イ）〜（ハ）のうちいずれか１項に記載の交信装置用筐体。この作用効果は次のようになる。ユーザは、蓋体の透視部越しに表示装置の表示部を視認することができる。
【００５４】
（ホ）前記ケース本体には、前記蓋体と前記ケース本体とがなす外側に配置され、前記蓋体及び前記ケース本体の少なくとも一部を覆うフードを設けたことを特徴とする請求項１乃至請求項３、技術的思想（イ）〜（ニ）のうちいずれか１項に記載の交信装置用筐体。この作用効果は次のようになる。フードは、蓋体と前記ケース本体とがなす内部への異物の侵入を抑制できる。また、このフードを、技術的思想（ニ）の交信装置用筐体に採用すると、このフードにより表示装置の表示部に対して直射日光が当たることを抑制できる。
【図面の簡単な説明】
【００５５】
【図１】本実施形態の筐体をポールに固定した状態を示す斜視図。
【図２】本実施形態の筐体の正面図。
【図３】本実施形態のケース本体に対して蓋体を閉めた筐体の側断面図。
【図４】本実施形態のケース本体に対して蓋体を開放した筐体の側断面図。
【図５】図３のＡ−Ａ線矢視にほぼ対応した断面図。
【図６】本実施形態のシリンダ錠、スリーブ、第１回転体、第２回転体、ねじりバネ、ネジ、及び座金の斜視図。
【図７】本実施形態の支持板に固定されたバネ取付部、鉤板に固定されたバネ取付部、その両バネ取付部に固定された引きバネを示す概略説明図。
【図８】本実施形態のケース本体に対して蓋体を閉じる場合の作用を示す作用図。
【図９】本実施形態のシリンダ錠がアンロック作動する場合の作用を示す作用図。
【図１０】本実施形態のシリンダ錠がアンロック状態の位置にある場合の作用を示す作用図。
【図１１】（ａ）（ｂ）は、本実施形態の筐体と比較するために示した筐体の底断面図。
【図１２】態様の変更における筐体をポールに固定した状態を示す斜視図。
【符号の説明】
【００５６】
１５…ＩＣタグ、２０…交信装置用筐体としての筐体、２１…交信装置、２３…ケース本体、２４…蓋体、２５…ケース側壁部、２６…底部、２７ｂ，２８ｂ，２９ｂ，３０ｂ…露出部、２７ａ，２８ａ，２９ａ，３０ａ…被覆部、２７ｃ，２８ｃ，２９ｃ，３０ｃ…シール部材配置部としての凹所、３５…蓋側壁部、３６…天部、４５…回転支持機構（軸体４６と軸受体４７）、５０…シリンダ錠、５２…係合部材としての留め具、５５…鉤部材としての鉤板、５８…付勢手段としての引きバネ、７５…退避機構（留め具５２と鉤板５５）、７６…シール部材としてのシール体、Ｋ…開口部、Ｐ１…掛止位置、Ｐ２…解除位置。
【図１】
2005351005.tif 000003
【図２】
2005351005.tif 000004
【図３】
2005351005.tif 000005
【図４】
2005351005.tif 000006
【図５】
2005351005.tif 000007
【図６】
2005351005.tif 000008
【図７】
2005351005.tif 000009
【図８】
2005351005.tif 000010
【図９】
2005351005.tif 000011
【図１０】
2005351005.tif 000012
【図１１】
2005351005.tif 000013
【図１２】
2005351005.tif 000014